(57)【要約】      （修正有）【課題】レンジフードにおいて、モーターの回転軸に設けられた雄ネジと、排気羽根固定用スピンナーに形成された雌ネジを、確実に締結することが可能な排気羽根固定用スピンナーを提供する。【解決手段】レンジフードに用いる排気羽根回転用のモーターの回転軸４１の先端部に設けられた雄ネジ４２と締結する、雌ネジ６３が中央に形成された排気羽根固定用スピンナー６であって、排気羽根固定用スピンナー６の締結回転時の進み側のネジ穴端部６１に、雌ネジの非成形部６２を設けたことを特徴とする。【選択図】図１
2015169393.tif 000002
【特許請求の範囲】
【請求項１】
レンジフードに用いる排気羽根回転用のモーターの回転軸の先端部に設けられた雄ネジと締結する、雌ネジが中央に形成された排気羽根固定用スピンナーであって、
前記排気羽根固定用スピンナーの締結回転時の進み側のネジ穴端部に、雌ネジの非成形部を設けたことを特徴とする排気羽根固定用スピンナー。
【請求項２】
請求項１に記載の排気羽根固定用スピンナーを用いて、排気羽根がモーターの回転軸に固定されていることを特徴とするレンジフード。
【発明の詳細な説明】
【技術分野】
【０００１】
本発明は、排気羽根固定用スピンナー及びこれを用いたレンジフードに関する。
【背景技術】
【０００２】
通常、調理機器の上方には、調理時に発生する油煙を捕集して屋外に排出するための、換気扇やレンジフード等が設置されている。これらのものとしては、例えば、図３に示すような構成のレンジフードが提案されている（例えば、特許文献１を参照）。
【０００３】
このレンジフード１は、下面が開放されたフード本体２内にファンケーシング３が取り付けられており、このファンケーシング３の上部に設けられたモーター４により水平方向に回転する排気羽根５が空気を下方から吸い込むような構成となっている。
【０００４】
排気羽根５は、排気羽根固定用スピンナー６によりモーター４の回転軸に固定されており、ファンケーシング３の下部には、吸入口となるオリフィス７と、オリフィス７の吸入口を覆うようにフィルター８が設けられている。
【０００５】
また、フィルター８の下部には、開口部を有する整流板９が着脱自在に設けられている。
【０００６】
一方、このような構成のレンジフード１において、レンジフード１の内部を清掃する場合やメンテナンス時には、整流板９、フィルター８、オリフィス７、排気羽根固定用スピンナー６、排気羽根５の順に取り外すことができる。
【０００７】
そして、所定の作業の終了後には、取り外しと逆の手順、すなわち排気羽根５、排気羽根固定用スピンナー６、オリフィス７、フィルター８、整流板９の順で取り付ける。
【先行技術文献】
【特許文献】
【０００８】
【特許文献１】特開２００９−１３８９９０号公報
【発明の概要】
【発明が解決しようとする課題】
【０００９】
この取り付け作業において、排気羽根５を取り付ける作業は、図２に示すような、モーター４の回転軸４１の先端部に設けられた雄ネジ４２と、排気羽根固定用スピンナー６の中央部に設けられた雌ネジ６３を、排気羽根５の上部天板５１を挟んで締結する。
【００１０】
この作業は、まず、ファンケーシング３内の上部から、下向きに突出したモーター４の回転軸４１先端部の雄ネジ４２に排気羽根５の上部天板５１を通して手で押さえる。
【００１１】
そして、その状態で雄ネジ４２に、排気羽根固定用スピンナー６の雌ネジ６３をねじ込んで締結する。そのため、この作業は非常に視認性が悪く作業しづらい。
【００１２】
そして、この視認性の悪さから、モーター４の回転軸４１の雄ネジ４２と、排気羽根固定用スピンナー６に設けられた雌ネジ６３の噛み合いが斜めの状態になることがあり、この状態でねじ込むと、しっかり締結できなかったり、ねじ山が破損する等の問題があった。
【００１３】
また、このような不完全な状態でレンジフード１を動作させた場合、排気羽根５が正常に回転せず、排気効率が悪くなったり、異音の発生や故障の原因となる場合があった。
【００１４】
本発明は、以上の通りの事情に鑑みてなされたものであり、レンジフードにおいて、モーターの回転軸に設けられた雄ネジと、排気羽根固定用スピンナーに形成された雌ネジを確実に締結することが可能な、排気羽根固定用スピンナー及びこれを用いたレンジフードを提供することを課題としている。
【課題を解決するための手段】
【００１５】
本発明は、上記の課題を解決するために、以下のことを特徴としている。
【００１６】
即ち、本発明の排気羽根固定用スピンナーは、レンジフードに用いる排気羽根回転用のモーターの回転軸の先端部に設けられた雄ネジと締結する、雌ネジが中央に形成された排気羽根固定用スピンナーである。そして、排気羽根固定用スピンナーの締結回転時の進み側のネジ穴端部に、雌ネジの非成形部を設けたことを特徴とする。
【００１７】
また、本発明のレンジフードは、前記の排気羽根固定用スピンナーを用いて、排気羽根がモーターの回転軸に固定されていることを特徴とする。
【発明の効果】
【００１８】
本発明によれば、レンジフードにおいて、モーターの回転軸に設けられた雄ネジと、排気羽根固定用スピンナーに形成された雌ネジを確実に締結することが可能な、排気羽根固定用スピンナー及びこれを用いたレンジフードを提供することができる。
【図面の簡単な説明】
【００１９】
【図１】本発明の排気羽根固定用スピンナーを示す概略断面図である。
【図２】従来の排気羽根固定用スピンナーを示す概略断面図である。
【図３】一般的なレンジフードの構成を示す概略分解斜視図である。
【発明を実施するための形態】
【００２０】
以下に、本発明の排気羽根固定用スピンナー及びこれを用いたレンジフードについて詳細に説明する。
【００２１】
排気羽根固定用スピンナー（以下、単にスピンナーと略称する）は、レンジフードに用いる排気羽根回転用のモーターの回転軸の先端部に設けられた雄ネジと締結する、雌ネジが中央に形成されたスピンナーである。そして、スピンナーの締結回転時の進み側のネジ穴端部に、雌ネジの非成形部を設けたものである。
【００２２】
図３は、本発明のスピンナーが適用可能な一般的なレンジフードの構成を示す概略分解斜視図である。
【００２３】
このレンジフード１は、下面が開放されたフード本体２内にファンケーシング３が取り付けられており、このファンケーシング３の上部に設けられたモーター４により水平方向に回転する排気羽根５が空気を下方から吸い込むように配置されている。
【００２４】
排気羽根５は、排気羽根固定用スピンナー６によりモーター４の回転軸４１に固定されており、ファンケーシング３の下部には、吸込口となるオリフィス７と、オリフィス７の吸入口を覆うようにフィルター８が設けられている。また、フィルター８の下部には、開口部を有する整流板９が着脱自在に設けられている。
【００２５】
フード本体２内のファンケーシング３の吐出口には、室外と連通するダクトが接続され、フード本体２の前面には、レンジフード１の運転、停止を行なうための操作スイッチ２１が設けられている。
【００２６】
そして、操作スイッチ２１を押して運転を開始させると、排気羽根５が回転し、調理で発生した油煙、廃ガスを含んだ空気は、フィルター８を通して吸い込まれ、オリフィス７を通過し、ファンケーシング３の吐出口からダクトを通って屋外に排出される。
【００２７】
このような構成のレンジフード１において、排気羽根５と、モーター４の回転軸４１との固定は、排気羽根５の上部天板５１を挟んだ状態で、図１に示すように、モーター４の回転軸４１の先端部に形成された雄ネジ４２とスピンナー６の雌ネジ６３を締結する。
【００２８】
ここで、本発明のスピンナー６の実施形態では、モーター４の回転軸４１の先端に形成された雄ネジ４２にスピンナー６の雌ネジ６３を締結させるときの締結回転時における、スピンナー６の進み側のネジ穴端部６１に、雌ネジの非成形部６２を設けている。
【００２９】
モーター４の回転軸４１とスピンナー６の締結は、まず、モーター４の回転軸４１の先端部に形成された雄ネジ４２の先端部を、スピンナー６の中央部に設けられたネジ穴端部６１に形成された雌ネジの非成形部６２に挿入していく。この状態で雄ネジ４２の先端部分がスピンナー６の中央部に設けられた雌ネジ６３の上端部に当接するまで挿入する。
【００３０】
そして、雄ネジ４２の先端部と雌ネジ６３の上端部が当接した状態でスピンナー６が締まるまで回転させることにより、正常に締結が完了する。
【００３１】
すなわち、スピンナー６の雌ネジの非成形部６２が挿入時のガイドとなるため、自然と垂直に挿入される。そのため、モーター４の回転軸４１の先端が斜めに挿入されにくくなり、垂直にねじ込むことを意識しなくても雄ネジ４２と雌ネジ６３が噛み合うため、容易かつ確実に締結させることができる。
【００３２】
雌ネジの非成形部６２の径ａは、モーター４の回転軸４１の先端に形成された雄ネジ４２が挿入可能な径ａであれば特に制限はないが、雄ネジ４２が垂直に挿入されることを考慮して、雄ネジの径より１〜５ｍｍ程度大きい径とする。
【００３３】
また、雌ネジの非成形部６２の深さｂは、雄ネジ４２との締結を強固に行うための雌ネジ６３が形成できる深さｂであれば特に制限はなく、例えば、雄ネジ４２が確実に垂直に挿入されることを考慮して、スピンナー６の厚みの１／４〜半分程度とするのが好ましい。
【００３４】
以上、実施形態に基づき本発明を説明したが、本発明は上記の実施形態に何ら限定されるものではなく、その要旨を逸脱しない範囲内において各種の構成の追加や変更が可能である。
【００３５】
例えば、排気羽根５の上部天板５１の固定をより確実、強固にするために、スピンナー６と排気羽根５の上部天板５１の間に、平ワッシャーやスプリングワッシャーを介在させることもできる。
【００３６】
また、上記実施形態で説明したレンジフードの構成以外にも、排気羽根回転用のモーター４の回転軸４１とスピンナー６とを締結する構成に対しては制限なく適用が可能である。
【００３７】
上記で詳述したスピンナー６の構成によれば、雌ネジの非成形部６２を設けることにより、モーター４の回転軸４１に設けられた雄ネジ４２と、スピンナー６に形成された雌ネジ６３を容易かつ確実に締結することが可能となる。また、この排気羽根固定用スピンナーを用いて排気羽根をモーターの回転軸に固定したレンジフードは、掃除やメンテナンスが容易なレンジフードとすることができる。
【符号の説明】
【００３８】
１    レンジフード
４    モーター
４１  回転軸
４２  雄ネジ
５    排気羽根
６    排気羽根固定用スピンナー
６２  雌ネジの非成形部
６３  雌ネジ
【図１】
2015169393.tif 000003
【図２】
2015169393.tif 000004
【図３】
2015169393.tif 000005